(57)【要約】【課題】足場板の妻側端部上に簡単容易に固定できる妻側幅木を提供する。【解決手段】足場板Ｐの妻側端部上に起立姿勢に載置される幅木本体３を有する。幅木本体３の左右各端部には係止フック４とロックピン５とを設け、係止フック４は、下向きに突出するフック先端部４ｏを、足場板Ｐの桁側端部に沿って取り付けられる桁側幅木２の上端面の前後端部に設けた差込孔７に差し込み、ロックピン５は、常時はバネ６によって幅木本体３の左右端面から突出させているピン先端部５ａｏを、バネ６の付勢力に抗して引っ込めた状態から桁側幅木２の前後端部に設けたピン孔８に突入させることによって、幅木本体３を起立姿勢に固定するようにしている。【選択図】図２
2010203136.tif 000002
【特許請求の範囲】
【請求項１】
足場板の妻側端部上に起立姿勢に載置される幅木本体を有し、この幅木本体の左右各端部には係止フックとロックピンとを設け、係止フックは、下向きに突出するフック先端部を、足場板の桁側端部に沿って取り付けられる桁側幅木の上端面の前後端部に設けた差込孔に差し込み、ロックピンは、常時はバネによって幅木本体の左右端面から突出させているピン先端部を、バネの付勢力に抗して引っ込めた状態から前記桁側幅木の前後端部に設けたピン孔に突入させることによって、幅木本体を起立姿勢に固定するようにした足場板用妻側幅木。
【請求項２】
係止フックは、基軸部と、基軸部の上端部から水平に突出する水平軸部と、水平軸部の先端部から下向きに突出する先端軸部とからなるもので、その基軸部を幅木本体の左右端面の上端部に固着してなる請求項１に記載の足場板用妻側幅木。
【請求項３】
ロックピンは、直線状に延びるピン本体部と、ピン本体部の基端部から直角に突出する把手部とで略Ｌ字状に形成されたもので、ピン本体部を、幅木本体内部に取り付けたブラケットで幅木本体長さ方向スライド自在に支持すると共に、ピン本体部とブラケットとの間に介装したバネによってピン本体部の先端部が常時幅木本体の左右端面から突出するように付勢してなる請求項１又は２に記載の足場板用妻側幅木。
【発明の詳細な説明】
【技術分野】
【０００１】
本発明は、建築現場等で仮設される足場板の妻側端部に取り付けられる足場板用妻側幅木に関するものである。
【背景技術】
【０００２】
建築作業現場等おける足場板上での高所作業では、作業者の手にしたボルト・ナット、金具等の種々の作業用部品や工具類、足元に置いた各種資材や用具等を誤って落下させ、事故につながるという危険性が常に付きまとう。そこで、足場板の桁側端部には桁側幅木、妻側端部には妻側幅木を取り付けることが行われている。図５には、枠組足場Ｗに配設されている足場板Ｐの桁側端部に取り付けられた桁側幅木２及び妻側端部に取り付けられた妻側幅木１を示す。
【０００３】
従来、桁側幅木としては、これを足場板の桁側端部に沿って簡単容易に固定できるようにしたものが種々提供されているが、妻側幅木については、この妻側幅木を足場板の妻側端部に簡単容易に固定できるようなものが未だ提供されていない。即ち、従来にあっては、足場板の妻側端部上に載置した妻側幅木の両端部を夫々ワイヤー等によって桁側幅木の端部に連結するなどして固定するようにしているため、妻側幅木の固定作業に手間がかかる上に、その取り外し作業が非常に面倒であった。
【発明の概要】
【発明が解決しようとする課題】
【０００４】
本発明は、上記のような事情に鑑み、足場板の妻側端部上に簡単容易に固定できるようにした妻側幅木を提供することを目的としている。
【課題を解決するための手段】
【０００５】
上記課題を解決するための手段を、後述する実施形態の参照符号を付して説明すると、請求項１に係る発明は、足場板Ｐの妻側端部上に起立姿勢に載置される幅木本体３を有し、この幅木本体３の左右各端部には係止フック４とロックピン５とを設け、係止フック４は、下向きに突出するフック先端部４ｏを、足場板Ｐの桁側端部に沿って取り付けられる桁側幅木２の上端面の前後端部に設けた差込孔７に差し込み、ロックピン５は、常時はバネ６によって幅木本体３の左右端面から突出させているピン先端部５ａｏを、バネ６の付勢力に抗して引っ込めた状態から前記桁側幅木２の前後端部に設けたピン孔８に突入させることによって、幅木本体３を起立姿勢に固定するようにしたことを特徴とする。
【０００６】
請求項２は、請求項１に記載の足場板用妻側幅木において、係止フック４は、基軸部４ａと、基軸部４ａの上端部から水平に突出する水平軸部４ｂと、水平軸部４ｂの先端部から下向きに突出するフック先端部４ｏとからなるもので、その基軸部４ａを幅木本体３の左右端面の上端部に固着してなることを特徴とする。
【０００７】
請求項３は、請求項１又は２に記載の足場板用妻側幅木において、ロックピン５は、直線状に延びるピン本体部５ａと、ピン本体部５ａの基端部から直角に突出する把手部５ｂとで略Ｌ字状に形成されたもので、ピン本体部５ａを、幅木本体３内部に取り付けたブラケット１０で幅木本体長さ方向スライド自在に支持すると共に、ピン本体部５ａとブラケット１０との間に介装したバネ６によってピン本体部５ａの先端部５ａｏが常時幅木本体３の左右端面から突出するように付勢してなることを特徴とする。
【発明の効果】
【０００８】
上記解決手段による発明の効果を、後述する実施形態の参照符号を付して説明すると、請求項１に係る発明の妻側幅木１によれば、幅木本体３の左右夫々の端部に係止フック４とロックピン５とを設けたもので、足場板Ｐの左右両桁側端部に桁側幅木２，２が取り付けられている状態で、両桁側幅木２，２の端部間にその上方から妻側幅木１を足場板Ｐの妻側端部に降ろして、係止フック４のフック先端部４ｏを、桁側幅木２の上端面の前後端部に設けた差込孔７に差し込み、ロックピン５のピン先端部５ａｏを、バネ６の付勢力に抗して引っ込めた状態から桁側幅木２の前後端部に設けたピン孔８に突入させるだけで、幅木本体３を簡単に起立姿勢に固定することができる。
【０００９】
請求項２に係る発明によれば、係止フック４は、基軸部４ａと水平軸部４ｂフック先端部４ｏとからなるもので、その基軸部４ａを幅木本体３の左右端面の上端部に固着するようにしたから、その構造が簡単で、幅木本体３の端部への取付けが容易となる。
【００１０】
請求項３に係る発明によれば、ロックピン５は、ピン本体部５ａと把手部５ｂとで略Ｌ字状に形成し、ピン本体部５ａを、幅木本体３内部に取り付けるブラケット１０で幅木本体長さ方向スライド自在に支持すると共に、ピン本体部５ａとブラケット１０との間に介装したバネ６でピン本体部５ａの先端部５ａｏが常時幅木本体３の左右端面から突出するように付勢したものであるから、幅木本体３への取付けが容易であると共に、把手部５ｂによってピン本体部５ａを簡単容易にロックし、またロック解除することができる。
【図面の簡単な説明】
【００１１】
【図１】(a) は本発明に係る妻側幅木を示す正面図、(b) は平面図、(c) は側面図、(d) は(a) に示す妻側幅木の端部を背面側から見た背面図、(e) は幅木本体の横断面図である。
【図２】(a-1) は桁側幅木の端部を示す正面図、(a-2) はその平面図、(b-1) は妻側幅木を桁側幅木の端部に対し固定した状態を示す正面図、(b-2) は桁側幅木に対する妻側幅木の固定を解除した状態の正面図である。
【図３】(a) は妻側幅木の取付状態を示す平面図、(b) は(a) のＸ−Ｘ線断面図である。
【図４】(a) はブラケットに取り付けた状態のロックピンを示す斜視図、(b) はその平面図、(c) は正面図である。
【図５】枠組足場に配設されている足場板に取り付けられた桁側幅木及び妻側幅木を概略的に示す斜視図である。
【発明を実施するための形態】
【００１２】
以下に本発明の好適な一実施形態を図面に基づいて説明すると、図１〜図５において、１は本発明に係る妻側幅木を示し、２は桁側幅木を示す。妻側幅木１は、足場板Ｐの妻側端部上に起立姿勢に載置される幅木本体３を有する。この幅木本体３の左右各端部には、図１に示すように、係止フック４とロックピン５とが設けられていて、係止フック４は、下向きに突出するフック先端部４ｏを、足場板Ｐの桁側端部に沿って取り付けられる桁側幅木２の上端面の前後各端部に設けた差込孔７（図２の(a-2) 参照）に差し込み、ロックピン５は、常時はコイルバネ６によって幅木本体３の左右端面から突出させているピン先端部５ｏを、コイルバネ６の付勢力に抗して引っ込めた状態から前記桁側幅木２の前後端部に設けたピン孔８（図２の(a-1) 参照）に突入させることによって、幅木本体３を起立姿勢に固定するようにしたものである。
【００１３】
幅木本体３は、アルミ合金材によって図１の(e) に示すような断面略コ字状に形成されたもので、左右両端部にはコ字形金具９，９が取り付けられている。各係止フック４は、基軸部４ａと、この基軸部４ａの上端部から水平に突出する水平軸部４ｂと、この水平軸部４ｂの先端部から下向きに突出するフック先端部４ｏとによって形成されていて、図１の(a) に示すように、その基軸部４ａが幅木本体３の端部に取り付けてあるコ字形金具９の端面側の上端部に固着されている。
【００１４】
ロックピン５は、図１、図２、図４に示すように、直線状に延びるピン本体部５ａと、このピン本体部５ａの基端部から直角に突出する把手部５ｂとによって略Ｌ字状に形成されたもので、ピン本体部５ａを、幅木本体３の内部に取り付けられるブラケット１０で幅幅木本体３の長さ方向スライド自在に支持すると共に、ピン本体部５ａとブラケット１０との間に介装したコイルバネ６によってピン本体部５ａの先端部５ａｏが常時幅木本体３の左右端面から突出するように付勢している。
【００１５】
このロックピン５を幅木本体３に取り付けるにあたっては、図１の(a) 〜(d) に示すように、ピン本体部５ａをスライド自在に支持してピン本体部５ａとの間にコイルバネ６を介装したブラケット１０を、幅木本体３の内側面の両端部に夫々リベットにより取り付け固定し、ピン本体部５ａの先端部５ａｏを、コイルバネ６の付勢力によって、コ字形金具９の端面側中央部に設けた孔１１から突出させるようにすればよい。
【００１６】
ブラケット１０は、図４に示すように、鋼板を折曲して凹部１２と凸部１３とを形成すると共に、凹部１２側の端部に立上部片１４を形成したもので、凸部１３の両端壁１３ａ，１３ｂに設けた貫通孔１５，１５に、ロックピン５のピン本体部５ａを、スライド自在で且つその軸線回りに回転自在に挿通すると共に、ピン本体部５ａに嵌挿したコイルバネ６の一端部を一方の端壁１３ａに当接し、その他端部をピン本体部５ａに貫通させた固定ピン１６に係止することにより、常時はピン本体部５ａの先端部５ａｏが外方へ突出するようにピン本体部５ａを付勢してロック状態とし、コイルバネ６の付勢力に抗して把手部５ｂを引っ張ることによりロック状態を解除でき、また把手部５ｂを立上部片１４の係止溝１４ａに係止させることにより、ピン本体部５ａをロック解除状態に保持することができる。
【００１７】
一方、図５に概略示すように足場板Ｐの桁側端部沿いに取り付けられる桁側幅木２は、図２の(a-1) 及び(a-2) に示すように、妻側幅木１の幅木本体３と同様に断面略コ字状の幅木本体１７を有し、この幅木本体１７の前後両端部にコ字形金具１８が取り付けられている。また、この幅木本体１７には上端面側の前後端部に、係止フック４のフック先端部４ｏが差し込まれる差込孔７（図２の(a-2) 参照）が設けられると共に、側面部の前後両端部にロックピン５のピン本体先端部５ａｏが突入するピン孔８（図２の(a-1) 参照）が設けられている。
【００１８】
またこの桁側幅木２は、図２の(a-1) 及び(a-2) に示すように、固定用ロッド１９を、幅木本体３の上下両端面を貫通するように設けられた貫通孔２０に貫通して、足場板Ｐの上面の桁側端部所定位置に設けられたロッド挿入孔２５（図２の(a-1) 参照）に挿入することにより、足場板Ｐの桁側端部上に起立姿勢に固定されるようになっている。
【００１９】
上記のように構成される妻側幅木１を取り付けるには、図２の(a-1) 及び(a-2) 、図３に示すように足場板Ｐの左右両桁側端部に桁側幅木２，２が取り付けられている状態で、両桁側幅木２，２の端部間に、上方から妻側幅木１を足場板Ｐ上面の妻側端部に降ろして載置するのであるが、この時、左右各ロックピン５のピン本体部５ａは、図２の(b-2) に示すように、バネ付勢力に抗して把手部５ｂを引っ張って、把手部５ｂを立上部片１４の係止溝１４ａに係止させることによりロック解除状態とする。
【００２０】
しかして、左右各ロックピン５をロック解除した状態で、各係止フック４の下向きに突出したフック先端部４ｏを、図２の(b-1) に示すように、桁側幅木２の幅木本体１７の上端面の前後端部に設けてある差込孔７に差し込み、その後にロックピン５のロックを解除して、ピン本体部５ａの先端部５ａｏをピン孔８に突入させればよく、これによって妻側幅木１の幅木本体３を、両桁側幅木２，２の端部間で足場板Ｐの妻側端部上に起立姿勢に固定することができる。こうして取り付けた妻側幅木１の取付状態を図２の(b-1) 及び図３の(a) ，(b) に示す。
【００２１】
図３の(a) において、２１は足場建枠（図５参照）で、２２は足場建枠の縦材、２３はその横材（横架材）で、この横材２３に、足場板Ｐの両端部に突設されているフックＦが掛止される。尚、図１及び図３に示す実施形態では、足場板長手方向に対向配置された足場建枠２１，２１の横材２３，２３間には、例えば横幅５００ｍｍの足場板Ｐを２枚並列状態に掛架した状態を示している。
【００２２】
以上説明したような妻側幅木１によれば、この妻側幅木１を足場板Ｐの妻側端部に取り付けるのに、足場板Ｐの左右両桁側端部に桁側幅木２，２が取り付けられている状態で、両桁側幅木２，２の端部間にその上方から妻側幅木１を足場板Ｐの妻側端部に降ろして、係止フック４のフック先端部４ｏを、桁側幅木２の上端面の差込孔７に差し込み、そしてロックピン５のピン先端部５ａｏを、バネ６の付勢力に抗して引っ込めた状態から桁側幅木２の前後端部に設けたピン孔８に突入させればよいから、幅木本体３を簡単容易に起立姿勢に固定することができ、また妻側幅木１を取り外す時は、ロックピン５のピン先端部５ａｏをバネ６の付勢力に抗して引っ込めた状態で幅木本体３を持ち上げればよいから、迅速容易に取り外すことができる。
【００２３】
また、この妻側幅木１においては、係止フック４は、基軸部４ａと水平軸部４ｂフック先端部４ｏとからなるもので、その基軸部４ａを幅木本体３の左右端面の上端部に固着するようになっているから、この係止フック４の構造が簡単で、幅木本体３の端部への取付けが容易となると共に、桁側幅木２側の差込孔７への差し込みが容易となる。
【００２４】
また、ロックピン５は、ピン本体部５ａと把手部５ｂとで略Ｌ字状に形成したもので、ピン本体部５ａを、幅木本体３内部に取り付けるブラケット１０で幅木本体長さ方向スライド自在に支持すると共に、ピン本体部５ａとブラケット１０との間に介装したコイルバネ６によりピン本体部５ａの先端部５ａｏが常時幅木本体３の左右端面から突出するように付勢したものであるから、幅木本体３への取付けが容易になると共に、把手部５ｂによってピン本体部５ａを簡単にロックし、また簡単にロック解除することができる。
【００２５】
また、ロックピン５のピン本体部５ａは、図２の(b-2) 及び図４の(a) に示すように、コイルバネ６の付勢力に抗して把手部５ｂを引っ張って把手部５ｂを立上部片１４の係止溝１４ａに係止させることにより、ロック解除状態に保持することができるから、幅木本体３の取付け及び取り外し操作が容易となる。
【符号の説明】
【００２６】
Ｐ              足場板
１              妻側幅木
２              桁側幅木
３              妻側幅木の幅木本体
４              係止フック
４ｏ            フック先端部
５              ロックピン
６              コイルバネ
７              桁側幅木側の差込孔
８              桁側幅木側のピン孔
【図１】
2010203136.tif 000003
【図２】
2010203136.tif 000004
【図３】
2010203136.tif 000005
【図４】
2010203136.tif 000006
【図５】
2010203136.tif 000007